(57)【特許請求の範囲】
【請求項１】
開閉体に取付ける連結部を有する従動板と駆動板を同軸的にそれぞれ回転可能に設け、該駆動板の回転により従動板が従動回転するよう円弧状の案内面の両端に第１係合部と第２係合部を対向して有するカム及び該カムの第１係合部及び第２係合部に選択的に係合するピンを上記駆動板、従動板間に形成し、静止位置と操作位置に作用部が移動するようレバ−を揺動可能に設け、該作用部が移動する際上記駆動板を回転するよう該駆動板に設けた取付部と上記作用部を作動杆で連結し、上記作用部が静止位置から操作位置へ移動した際上記作動杆を介して駆動板を回転し上記第１係合部若しくは第２係合部とピンを係合させて上記従動板を回転し上記開閉体を開放若しくは閉鎖し、上記作用部が操作位置から静止位置に復帰する際上記従動板を回転位置に保持した状態で上記作動杆を介して上記駆動板を上記回転と逆方向に回転させると共に上記作動杆を連結した駆動板の取付部の位置を上記駆動板の回転中心と作用部を結ぶ仮想線の一側方から他側方へ変位する位置に回転させるようにしたことを特徴とする開閉体の駆動装置。
【請求項２】
上記取付部の位置を変位させるよう上記駆動板と従動板間にばねを設けた請求項１に記載の開閉体の駆動装置。
【請求項３】
上記従動板は、駆動板と同軸的に設けた第１従動板と上記連結部を有する第２従動板を含み、該第２従動板は上記第１従動板によって従動回転する請求項１又は２に記載の開閉体の駆動装置。
【発明の詳細な説明】
【０００１】
【発明の属する技術分野】
本発明は、便器の便蓋や便座、ごみ箱、整理箱等の収納体の蓋、各種機器の開口部の蓋その他一端を開閉可能に枢着した開閉体を手を使わずに開閉できるようにした開閉体の駆動装置に関するものである。
【０００２】
【従来の技術】
洋式便器の便蓋や便座等の開閉体は、従来手で開閉しているが、不衛生等の理由で手で直接便座等を触れないで開閉できるようにした各種の装置が提案されている。その中で、ペダルによる足踏み操作やモ−タ−等の電動操作によって開閉するものが知られているが、これら多くの提案されている装置は、従来の便器の構造、特に便蓋及び便座の取付軸等の構造を変えなければならないので、従来の既存の便器に簡単に取付けできなかった。また、開放する操作ペダルと閉鎖する操作ペダルが別々に設けられている装置では、使用者が使いにくく、その上便器の設置されている場所が、一般に狭いところが多いので、そのような複雑な装置を取付けることもむずかしかった。
【０００３】
【発明が解決しようとする課題】
本発明の解決課題は、従来提案されているような装置と違って既存の便器等の構造を変えないで容易に取付けでき、また便蓋、便座等の開閉体の開閉操作をそれぞれ１つのペダル操作でできるようにした開閉体の駆動装置を提供することである。
【０００４】
【課題を解決するための手段】
本発明によれば、開閉体に取付ける連結部を有する従動板と駆動板を同軸的にそれぞれ回転可能に設け、該駆動板の回転により従動板が従動回転するよう円弧状の案内面の両端に第１係合部と第２係合部を対向して有するカム及び該カムの第１係合部及び第２係合部に選択的に係合するピンを上記駆動板、従動板間に形成し、静止位置と操作位置に作用部が移動するようレバ−を揺動可能に設け、該作用部が移動する際上記駆動板を回転するよう該駆動板に設けた取付部と上記作用部を作動杆で連結し、上記作用部が静止位置から操作位置へ移動した際上記作動杆を介して駆動板を回転し上記第１係合部若しくは第２係合部とピンを係合させて上記従動板を回転し上記開閉体を開放若しくは閉鎖し、上記作用部が操作位置から静止位置に復帰する際上記従動板を回転位置に保持した状態で上記作動杆を介して上記駆動板を上記回転と逆方向に回転させると共に上記作動杆を連結した駆動板の取付部の位置を上記駆動板の回転中心と作用部を結ぶ仮想線の一側方から他側方へ変位する位置に回転させるようにしたことを特徴とする開閉体の駆動装置が提供され、上記課題が解決される。
【０００５】
【発明の実施の形態】
本発明の駆動装置は、開閉可能に一端を枢着した各種の蓋体その他の開閉体の駆動装置に適用することができるが、以下実施例としては本発明を洋式便器の便蓋及び便座の開閉装置に適用した実施例について説明する。
【０００６】
図１，図２を参照し、便器本体（１）は、公知のように一端に設けた軸（２）（図２）に枢着された便座（３）及び便蓋（４）を有しており、該便座（３）と該便蓋（４）を開閉する本発明の装置は、便座用の装置と便蓋用の装置を便器の両側に分離して設けてもよいが、図においては便器の一側に一緒に設けてある。
【０００７】
図に示すように、便器本体（１）の側方に起立して設けたフレ−ム（５）の両側には、駆動板（６），(6a)と従動板（７），(7a)が軸（８）にそれぞれ枢着され、同軸的に回転可能に設けられており、また該軸（８）と上記便蓋（４）、便座（３）等の開閉体の枢着軸（２）と同軸的に位置するように配置されている。
【０００８】
上記従動板（７）には、上記便座（３）に該従動板（７）を取付けるための連結部（９）が形成され、上記従動板(7a)には上記便蓋（４）に該従動板(7a)を取付けるための連結部(9a)が形成されている。該連結部（９），(9a)は、各従動板（７），(7a)のア−ム(10),(10a)に便座等の方向に延びる連結軸(11),(11a)を設け、該連結軸(11),(11a)の先端に上記便座（３）及び便蓋（４）にそれぞれ止着する適宜な止着具(12),(12a)をそれぞれ具備しているが、該連結部の構成は、その他適宜の構造に形成することができる。
【０００９】
上記駆動板（６），(6a)、従動板（７），(7a)及び後記する各部材等を含む本発明の装置は便座用及び便蓋用でそれぞれ本質的に同様の部材等が用いられているので、説明を簡略にするため、以下主として便座用の装置について説明する。
【００１０】
上記駆動板（６）と従動板（７）の間には、該駆動板（６）の回転により従動板（７）が従動回転するよう円弧状の案内面(13)の両端に第１係合部(14)と第２係合部(15)を対向して有するカム(16)と、該カム(16)の第１係合部(14)及び第２係合部(15)に選択的に係合するピン(17)が設けられている。該カム(16)とピン(17)は、図１等に示す実施例では上記駆動板（６）にカム(16)を形成し、上記従動板（７）にピン(17)を設けてあるが、図３に示すようにピン(17)を駆動板（６）に設け、カム(16)を従動板（７）に形成してもよい。
【００１１】
上記カム(16)の案内面(13)の長さは、上記便座（３）、便蓋（４）が便器本体（１）に着座する閉鎖位置から便器本体（１）の上方に回動された開放位置に、上記従動板によって移動されるに充分な長さとしてある。また、該案内面は図１等に示す実施例では円弧溝(18)に形成され、該溝(18)の両端に第１係合部(14)と第２係合部(15)が位置するようにしてあるが、図３等に示すように円弧状の外周縁を案内面(13)とし、その両端に半径方向へ突出する肩部(19)を設けてこれを第１係合部(14)、第２係合部(15)としてもよい。なお、上記ピンは該案内面に摺接させてもよいし、該案内面に非接触状態で遊動するようにしてもよい。
【００１２】
上記駆動板（６）等の、図において下方には、静止位置と操作位置に作用部(20)が移動するようレバ−(21)が揺動可能に設けられている。該レバ−(21)を操作した際上記作用部(20)は昇降するが、上記静止位置と操作位置の関係は、図１等に示すように作用部(20)の上昇した位置を静止位置とし、降下した位置を操作位置としたり、後記するように作用部(20)が降下した位置を静止位置とし、上昇した位置を操作位置とすることもでき、それに応じて該レバ−(21)の支点(22)の位置を変えたり、静止位置に該レバ−(21)を付勢するためのばね(23)等を設ければよい。該レバ−(21)は、図においては、ペダル(24)を有し、該ペダル(24)を足踏みして操作するようにしてあるが、適宜のクランク機構等を付設してモ−タ−で操作するようにしたり、水圧等の流体圧シリンダを設けて操作するようにしてもよい。図２に示すように、便蓋用の装置を並設した場合は、便蓋開閉用のペダル(24a) は、上記ペダル(24)と隣接して位置させればよく、この際識別のために各ペダル(24)，(24a) の形状、模様等を変えたり、高さを変えて設けることができる。
【００１３】
上記作用部が移動する際、上記駆動板（６）を回転するよう該駆動板（６）に設けた取付部(25)と上記作用部(20)は作動杆(26)で連結されている。このため該取付部(25)の位置は、上記作用部(20)が上記静止位置及び操作位置にあるとき、該作用部(20)と上記駆動板（６）の回転中心（上記軸（８）の軸心）を結ぶ仮想線のいずれか一方に偏位して位置している。
【００１４】
上記従動板（７）やレバ−(21)とフレ−ム（５）の間には、上述したようにレバ−(21)を静止位置に付勢するためのばね(23)や従動板の開放方向への回動を補助するためのばね(27)を設けてあるが、これらの付勢手段として重り等を用いることもでき、また各部材の移動の終端部分にゴム材料、ばね材料等の緩衝部材や適宜のダンパ−等を設けることもできる。
【００１５】
図１に示すように、上記作用部(20)が静止位置（上昇位置）にあるとき、上記駆動板（６）の第１係合部(14)に従動板（７）のピン(17)が係合しているので、この静止位置から操作位置（降下位置）に作用部(20)が移動すると、作動杆(26)を介して上記駆動板（６）及び従動板（７）は図１の時計方向に回転し、上記便座（３）を開放することができ、該便座上に載っている便蓋（４）も同時に開放される。
【００１６】
上記カム(16)は案内面(13)の両端に上記第１係合部(14)と第２係合部(15)を対向して有しているから、上記開放状態で上記作用部(20)が操作位置（降下位置）から静止位置（上昇位置）に復帰する際、上記作動杆(26)を介して上記駆動板（６）は上記開放時の回転と逆方向の反時計方向に回転するが、上記カム(16)の第１係合部(14)と上記ピン(17)の係合は外れ、上記ピン(17)を形成した従動板（７）は上記回転位置に保持された状態に留まっており、上記便座（３）は開放されたままである。
【００１７】
そして、上記反時計方向へ回転する際、上記作動杆(26)を連結した上記駆動板（６）の取付部(25)の位置が該駆動板（６）の回転中心（上記軸（８）の軸心）と作用部(20)を結ぶ仮想線を越えて該仮想線の一側方（最初に作用部を移動させるときの位置側）から他側方へ変位する位置まで逆回転するようにしてある。この他側方への変位は、上記駆動板（６）の慣性作用によって行うこともできるが、積極的な変位手段を設けることもできる。
【００１８】
上記取付部(25)の位置の変位手段として図１等に示す実施例では、上記駆動板（６）と従動板（７）の間にばね(28)を設けてあるが、その他適宜のリンク機構や電磁石機構等を用いることもできる。上記ばね(28)の取付位置は、上記作用部等の移動態様に応じて適宜の位置に設けられ、図１等においては、上記従動板（７）に設けたピン(17)の外周方向に形成した取付軸(29)と上記駆動板（６）の取付部(25)の間に設けてある。
【００１９】
上記駆動板（６）等の動作を図４を参照して説明する。図４（Ａ）には、便座（３）、便蓋（４）等が便器本体（１）上に着座している閉鎖状態における駆動板（６）、従動板（７）等の位置が示されている。ここで、足踏等により矢印(30)方向へレバ−(21)を押すと、上記作用部(20)は静止位置（上昇位置）から操作位置（降下位置）に移動し、作動杆(26)を介し駆動板（６）が時計方向に回転し、従動板（７）もカム(16)の第１係合部(14)にピン(17)が係合しているので、時計方向に従動回転する（図４（Ｂ））。上記従動板（７）の連結部（９）には、上記便座（３）が取付けられているので、該便座（３）は開放される。
【００２０】
上記レバ−(21)の押圧を止めると、該レバ−(21)はばね(23)により作用部(20)を引き上げる方向に付勢されているから、上記作用部(20)は上記操作位置から静止位置へ向かって移動する（図４（Ｃ））。上記作動杆(26)を介し上記駆動板（６）は、上記第１係合部(14)とピン(17)の係合が外れる逆方向（反時計方向）に回転するが、上記従動板（７）はピン(17)と第１係合部(14)の係合が外れるので、上記回転した位置（図４（Ｂ））に保持され、便座（３）は開放したままである。上記駆動板（６）の逆方向（反時計方向）への回転をする途中で、上記駆動板（６）の取付部(25)は、駆動板（６）の回転中心と作用部(20)を結ぶ仮想線上に並ぶが（図４（Ｃ））、ばね(28)により引張られているから、該仮想線を越える位置に回転し、第２係合部(15)にピン(17)が当る位置まで回転する（図４（Ｄ））。なお、上記回転の範囲は、適宜位置に設けたストッパ−（図示略）で規制してあり、上述したように上記ばね(28)を使用せずに駆動板（６）の慣性作用等により図４（Ｄ）の位置まで回転させることもできる。
【００２１】
再び上記レバ−(21)を足踏等して矢印(31)方向へ移動させると、上記作用部(20)は静止位置から操作位置に向かって移動し、作動杆(26)を介して駆動板（６）は反時計方向へ回転し、従動板（７）もカム(16)の第２係合部(15)にピン(17)が係合しているので、反時計方向に従動回転する（図４（Ｅ））。上記従動板（７）の連結部（９）に取付けられた便座（３）は、上記反時計方向への回転に伴って、便器本体（１）に着座する閉鎖位置に移動される。
【００２２】
上記レバ−(21)の押圧を止めると、ばね(23)により該レバ−(21)の作用部(20)は操作位置から静止位置へ復帰する。この移動の際、上記駆動板（６）は上記作動杆(26)を介して時計方向へ回転するが、上記従動板（７）は第２係合部(15)とピン(17)の係合が外れるので、反時計方向に回転した位置に留まっている（図４（Ｆ））。上記駆動板（６）が時計方向へ回転する途中で、上記駆動板（６）の取付部(25)は、図４（Ｆ）に示すように駆動板（６）の回転中心と作用部(20)を結ぶ仮想線上に並ぶが、上記ばね(28)や慣性作用等によって該仮想線を越える位置に回転し、第１係合部(14)にピン(17)が当る位置まで回転する。この状態は、上記図４（Ａ）の状態であるから、以下同様に上記レバ−(21)を操作することにより上記便座を開放したり、閉鎖することができる。
【００２３】
上記図４（Ａ）、同図（Ｄ）から明らかなように、本発明の装置は、上記作用部(20)が静止位置にあるとき、カム(16)の案内面の長さの範囲内で上記ピン(17)を移動させることができるから、上記レバ−(21)を足踏み等しなくても従動板（７）のみを回転させることができる。したがって、手動でも便座等を開閉させることができ、このような開閉操作のときに上記駆動板（６）、レバ−(21)等は移動しないから、手動による開閉操作に何らの支障はない。
【００２４】
上記実施例は、作用部の静止位置が上昇した位置にあり、操作位置が降下した位置になる場合であるが、各位置を反対側に設けることもできる。図５は、作用部の静止位置が降下した位置にあり、操作位置が上昇した位置にある実施例の説明図である。図に示すように、上記レバ−(21)の支点(22)の位置、駆動板（６）の取付部(25)の位置及び上記変位手段のばね(28)を取付ける位置が変っているが、駆動板（６）及び従動板（７）の回転は、上記図４に示す実施例と変らない。すなわち、レバ−(21)を矢印(32)方向に押して便座を開放する動作を示す図５（Ａ）は図４（Ａ）、図５（Ｂ）は図４（Ｂ）に相当し、図５（Ｃ）を経て図５（Ｄ）の状態に至る動作は、図４（Ｃ）を経て図４（Ｄ）に至る動作と基本的に同じである。また、次にレバ−(21)を操作して便座を閉鎖する動作を示す図５（Ｅ）は図４（Ｅ）に相当し、図５（Ｆ）を経て図５（Ａ）の状態に戻る動作は、図４（Ｆ）を経て図４（Ａ）の状態に戻る動作と本質的に同様である。
【００２５】
上記実施例においては、上記従動板（７）は１つの部材で構成してあるが、複数の部材で構成することもできる。図６は、従動板を第１従動板(33)と第２従動板(34)で構成した実施例を示し、第１従動板(33)は駆動板（６）と同軸的に回転可能に設けてあり、第２従動板(34)には上記便座等の開閉体を取付ける連結部（９）を形成し、該第２従動板(34)の軸(35)を便器本体（１）に設けた便座（３）等の枢着軸（２）（図２参照）と同軸的に位置させるようにしてある。そして、上記第１従動板(33)と第２従動板(34)を各板に取付けたリンク(36)，(37)で連結し、第２従動板(34)を第１従動板(33)により従動回転させている。上記リンクに代えて歯車列を用いたり、チェ−ンやベルト機構等で連結してもよい。
【００２６】
上記図６に示すように従動板を複数枚で構成するようにすると、駆動板等をフレ−ムの低位置に配置することができ、また各従動板の大きさを適宜に選定することにより駆動板の回転量を小さくして従動板の回転量を大きくすることができる。
【００２７】
【発明の効果】
本発明は以上のように構成され、既存の便器等の構成を変えないで、便座、便蓋等の開閉体を開閉することができ、また１つのレバ−操作で開放したり、閉鎖したりでき、構成が簡単になり、トイレ内等の狭い空間にも充分設置することができ、便器の他各種の蓋等の開閉体の駆動装置として利用することができる。なお、本装置を予め便器等に組み込んで構成することも可能である。
【図面の簡単な説明】
【図１】本発明の一実施例を示す側面図。
【図２】一部を省略して示す平面図。
【図３】駆動板と従動板の他の実施例を示す説明図。
【図４】図１に示す実施例の動作を示す説明図。
【図５】他の実施例の動作を示す説明図。
【図６】他の実施例を示す一部を省略した説明図。
【符号の説明】
１  便器本体
３  便座
４  便蓋
５  フレ−ム
６  駆動板
７  従動板
８  軸
９  連結部
13  案内面
14  第１係合部
15  第２係合部
16  カム
17  ピン
20  作用部
21  レバ−
22  支点
25  取付部
26  作動杆
28  ばね
33  第１従動板
34  第２従動板
【図１】
0003750097.tif 000002
【図２】
0003750097.tif 000003
【図３】
0003750097.tif 000004
【図４】
0003750097.tif 000005
【図５】
0003750097.tif 000006
【図６】
0003750097.tif 000007